(57)【要約】【課題】菜ばしを載置するはし置きと、菜ばしを掛止具に掛止するためのはし保持具、並びにレトルトパウチ食品のパウチを挟みこんで、該パウチ内の残余の食品を押し出す押し出し具を兼ねた多機能ホルダーとセットとした菜ばしを提供する。【解決手段】柔軟性と伸縮性を備えたシリコーンゴムにより、中央に２本のはし部材１ａ・１ｂを一体に接合して先端側から挿入することができる長楕円形状をした接合保持孔７と、該接合保持孔７の両外側に前記はし部材１ａ・１ｂを別々に先端側から挿入することができる分離保持孔８をそれぞれ穿設すると共に、表裏面の中央部に緩かに湾曲した湾曲凹部９をそれぞれ凹設して形成された多機能ホルダー６と菜ばし1をセットとする。【選択図】図１
0003183601.tif 000002
【実用新案登録請求の範囲】
【請求項１】
２本のはし部材から成り、一方のはし部材は先端がスプーン形状を有すると共に、基端部が先細り形状を有し、且つ他方のはし部材は先端がフォーク形状を有すると共に、基端部が先細り形状を有し、且つ前記はし部材の各基端部の先細り形状部分に、数条の円周方向の溝を備えて菜ばしが形成される一方、柔軟性と伸縮性を備えたシリコーンゴムにより、中央に前記２本のはし部材を一体に接合して先端側から挿入することができる長楕円形状をした接合保持孔７と、該接合保持孔の両外側に前記はし部材を別々に先端側から挿入することができる分離保持孔をそれぞれ穿設すると共に、表裏面の中央部に緩かに湾曲した湾曲凹部をそれぞれ凹設して形成されたはし置きおよび掛止具を兼ねた多機能ホルダーとセットとしたことを特徴とする菜ばし。
【考案の詳細な説明】
【技術分野】
【０００１】
本考案は、菜ばしを載置するはし置きと、菜ばしをフックやハンガー等の掛止具に掛止するためのはし保持具、並びにレトルトパウチ食品のパウチを挟みこんで、該パウチ内の残余の食品を押し出す押し出し具を兼ねた多機能ホルダーとセットとした菜ばしに関するものである。
【背景技術】
【０００２】
従来の菜ばしは、煮物等を料理し易くするために、また煮込み中の火気や蒸気を避けるために、通常のはしより長く形成されているものが実用に供されている。
【０００３】
一方、菜ばしに関する先行技術文献を遡及検索したところ、下記の特許文献１に示す「万能菜箸」が開示されている。
【０００４】
特許文献１記載の万能菜箸は、２本の棒部材からなり、一方の棒部材は一端がスプーン形状を有すると共に、他端がお箸のような先細り形状を有し、更に他方の棒部材は一端がフォーク形状を有すると共に、他端がお箸のような先細り形状を有して形成されている。
【先行技術文献】
【特許文献】
【０００５】
【特許文献１】登録実用新案第３０５７８１７号公報
【考案の概要】
【考案が解決しようとする課題】
【０００６】
しかしながら、前記特許文献１記載の考案は、各棒部材の先端がスプーン形状およびフォーク形状に形成されて、菜ばしとしては使い勝手がいいが、これだけでは２本まとめて保持するという手段を備えていないために、２本まとめてフックやハンガー等の掛止具に掛止することができず、一方の菜ばしが行方不明になることが多いという課題があった。
【０００７】
本考案は前記課題を解決すべくなされたもので、菜ばしを載置するはし置きと、菜ばしを２本まとめてフックやハンガー等の掛止具に掛止するはし保持具、およびレトルト食品をパウチから取り出した後、該パウチを挟み込んで、袋内に残留して取り出しにくい食品を押し出す押し出し具を兼ねた多機能ホルダーとセットとし菜ばしを提供しようとするものである。
【課題を解決するための手段】
【０００８】
本考案は、２本のはし部材から成り、一方のはし部材は先端がスプーン形状を有すると共に、基端部が先細形状を有し、且つ他方のはし部材は先端がフォーク形状を有すると共に、基端部が先細形状を有し、且つ前記はし部材の各基端部の先細形状部分に、数条の円周方向の溝を備えて菜ばしが形成される一方、柔軟性と伸縮性を備えたシリコーンゴムにより、中央に前記２本のはし部材を一体に接合して先端側から挿入することができる長楕円形状をした接合保持孔と、該接合保持孔の両外側に前記はし部材を別々に先端側から挿入することができる分離保持孔をそれぞれ穿設すると共に、表裏面の中央部に緩かに湾曲した湾曲凹部をそれぞれ凹設して形成された多機能ホルダーと、前記菜ばしをセットとするという手段を採用することにより、前記課題を解決した。
【考案の効果】
【０００９】
前記構成より成る本考案によれば、菜ばしを載置するはし置きと、菜ばしを２本まとめてフックやハンガー等の掛止具に掛止するはし保持具、およびレトルト食品をパウチから取り出した後、該パウチを挟み込んで、該パウチ内に残留して取り出しにくい食品を押し出す押し出し具を兼ねた多機能ホルダーとをセットとすることにより、前記ホルダーにより菜ばしを２本まとめてはし保持具に保持し、フック等の掛止具に掛止保管できるので、菜ばしがばらばらになって行方不明になることもなく、またホルダーと菜ばしを用いて、レトルト食品をパウチから取り出した後、該パウチを挟み込んで、パウチ内に残留して取り出しにくいレトルト食品を押し出して取り出すこともでき、更に前記ホルダーを菜ばし置きとしても使用することができるので、その用途が広く極めて便利である。
【図面の簡単な説明】
【００１０】
【図１】本考案多機能ホルダーとセットとした菜ばしの組立分解斜視図である。
【図２】本考案多機能ホルダーとセットとした菜ばしにおいて、ホルダーをはし置きとして使用した状態を示す斜視図である。
【図３】本考案多機能ホルダーとセットとした菜ばしにおいて、ホルダーをはし保持具として使用した状態を示す斜視図である。
【図４】本考案多機能ホルダーとセットとした菜ばしにおいて、ホルダーをレトルト食品のパウチの押し出し具として使用した状態を示す斜視図である。
【実施例】
【００１１】
本考案を構成する菜ばし１は、図１に示すように、２本のはし部材１ａ・１ｂから成り、一方のはし部材１ａは先端がスプーン形状２を有すると共に、基端部がおはしのような先細形状３を有し、且つ他方のはし部材１ｂは先端がフォーク形状４を有すると共に、基端部がはしのような先細形状３を有するものである。
【００１２】
なお、前記はし部材１ａ・１ｂの各基端部の先細形状３部分には、料理品を挟んでも落下しないように、数条の円周方向の溝５を備えることが好ましい。
【００１３】
前記のように構成された菜ばし１によれば、従来の菜ばしと同様に、スプーン形状２とフォーク形状４とを使用して煮物等の料理品を容易、且つ確実に挟んで扱うことが可能であり、該煮物等の料理品が滑りやすい場合でも、スプーン形状２とフォーク形状４の夫々の内側形状で確実に挟み込むことができる。なお、前記スプーン形状２とフォーク形状４を使用しなくても、数条の円周方向の溝５により煮物等の料理品を挟み込むことも可能である。
【００１４】
また、前記スプーン形状２を有するはし部材１ａを単独で使用して、スプーン形状２で煮物等の料理品をすくい上げることが可能である。
【００１５】
更に、前記はし部材１aのスプーン形状２を所定の容量に形成することにより、スプーン形状２を計量器として使用することも可能である。
【００１６】
また更に、前記フォーク形状４を有するはし部材１ｂで煮物等料理品を突き刺して使用することができる。
【００１７】
前記構成より成る菜ばし１は、はし部材１ａ・１ｂを一緒にして保管しなければならないが、ばらばらになって行方不明になってしまうことが多いため、本考案者ははし部材１ａ・１ｂを一体にまとめて保管するはし保持具としたり、またレトルト食品をパウチから取り出した後、該パウチを挟み込んで、パウチ内に残留して取り出しにくいレトルト食品を押し出して取り出す押し出し具としたり、更に前記ホルダーを菜ばし置きとしても使用することができる多機能ホルダー６をセットとして備えることにより、菜ばし１を更に使い勝手のよいものとした。
【００１８】
前記多機能ホルダー６は、柔軟性と伸縮性を備えたシリコーンゴムにより、中央に前記２本のはし部材１ａ・１ｂを一体に接合して先端側から挿入することができる長楕円形状をした接合保持孔７と、該接合保持孔７の両外側に前記はし部材１ａ・１ｂを別々に先端側から挿入することができる分離保持孔８をそれぞれ穿設すると共に、表裏面の中央部に緩かに湾曲した湾曲凹部９をそれぞれ凹設して形成されている。
【００１９】
なお、前記多機能ホルダー６は、柔軟性と伸縮性を備えたシリコーンゴムにより形成されているため、接合保持孔７および分離保持孔８に挿入された２本のはし部材１ａ・１ｂは、挿入された孔の位置において密着して保持され、離脱することがない。
【００２０】
前記のように構成された多機能ホルダー６の作用について説明する。図２に示すように、多機能ホルダー６の表裏面いずれかの湾曲凹部９に菜ばし１の基端部を載置することにより、はし置きとして使用することができる。
【００２１】
また、図３に示すように、多機能ホルダー６の分離保持孔８に菜ばし１のはし部材１ａ・１ｂの基端部側から挿入して、該各はし部材１ａ・１ｂを分離した形で挿入してはし保持具として使用し、該多機能ホルダー６の底面を台所に設置されたフック等の掛止具１０に掛止することにより、前記はし部材１ａ・１ｂが多機能ホルダー６に保持されて掛止具１０に掛止固定されるので、該はし部材１ａ・１ｂの紛失が防止できる。
【００２２】
更に、図４に示すように、多機能ホルダー６の接合保持孔７に前記はし部材１ａ・１ｂを互いに一体に接合して挿入保持し、該多機能ホルダー６と、該はし部材１ａ・１ｂの先端部間に、レトルト食品を封入したパウチ１１を開放１２して取出した後のパウチ１１の底部１３側を挟持して、前記はし部材１ａ・１ｂの先端部を握りしめて、前記はし部材１ａ・１ｂをそのまま開放１２側へ移動させることにより、前記パウチ１１内に残留していたレトルト食品を押し出す押し出し具としても使用することができるのである。
【符号の説明】
【００２３】
１  菜ばし
１ａ・１ｂ  はし部材
２  スプーン形状
３  先細形状
４  フォーク形状
５  円周方向の溝
６  多機能ホルダー
７  接合保持孔
８  分離保持孔
９  湾曲凹部
１０  掛止具
１１  パウチ
１２  開放
１３  底部
【図１】
0003183601.tif 000003
【図２】
0003183601.tif 000004
【図３】
0003183601.tif 000005
【図４】
0003183601.tif 000006